(57)【要約】【課題】  インターネット接続機能を持った携帯電話やＰＤＡ端末等をも対象とするＷｅｂサーバーを少ない負担にて簡便に構築することのできるコンテンツ提供方法を提供すること。【解決手段】  インターネット端末に対し、サーバコンピュータを用いてコンテンツデ−タを提供するためのコンテンツ提供方法であって、アクセスしてきたインターネット端末の種別特定を行い、予め登録された抽出データに基づき、前記特定した端末の種別が該当する抽出項目を前記ベースコンテンツデータから抽出して配信コンテンツデータを生成し、この生成した配信コンテンツデータをインターネット端末に対して配信する。【選択図】  図１２
2005346734.tif 000002
【特許請求の範囲】
【請求項１】
インタ−ネット網に接続可能なインターネット端末に対し、該インタ−ネット網に接続されたサーバコンピュータを用いてコンテンツデ−タを提供するためのコンテンツ提供方法であって、
前記サーバコンピュータは、
前記インターネット端末より送信されてくる要求メッセージから、アクセスしてきたインターネット端末の種別並びに該インターネット端末に搭載されている閲覧ソフトの種別とを特定或いは推定可能な種別情報を抽出して種別特定を行う種別特定ステップと、
前記要求メッセージにて配信要求されたコンテンツの元となるベースコンテンツデータの中から前記アクセスしてきたインターネット端末に配信する項目を抽出するための抽出項目が、前記種別特定ステップにて特定された種別に対応付けて予め登録された抽出データに基づき、前記種別特定ステップにて特定した種別が該当する抽出項目を特定する抽出項目特定ステップと、
該抽出項目特定ステップにて特定した項目を前記ベースコンテンツデータから抽出して配信するコンテンツデータを作成する配信コンテンツデータ生成ステップと、
該配信コンテンツデータ生成ステップにて作成された配信コンテンツデータを前記インターネット端末に対して配信する配信ステップと、
を含むことを特徴とするコンテンツ提供方法。
【請求項２】
前記抽出データには、抽出する各項目毎に配列順序が記述されており、前記配信コンテンツデータ生成ステップにおいては、前記配列順序に基づいて各項目が配列されたコンテンツデータが生成されることを特徴とする請求項１に記載のコンテンツ提供方法。
【請求項３】
前記抽出データは、前記ベースコンテンツデータ毎に設けられたルールファイルデータに記録されていることを特徴とする請求項１または２に記載のコンテンツ提供方法。
【請求項４】
前記ベースコンテンツデータが、予め登録された補完すべきコンテンツ内容を含むか否かを判定する判定ステップと、
前記補完すべきコンテンツ内容を含む場合において補完コンテンツを作成する補完コンテンツ生成ステップと、
を含むことを特徴とする請求項１〜３のいずれかに記載のコンテンツ提供方法。
【請求項５】
前記補完すべきコンテンツ内容がフレーム構成を有するコンテンツであることを特徴とする請求項４に記載のコンテンツ提供方法。
【請求項６】
前記サーバコンピュータは、前記種別特定ステップにて特定される各種別毎のアクセス方式に対応した記述形式が登録された端末情報データベースを有し、
前記種別特定ステップにて特定した種別に該当する記述形式を、前記端末情報データベースを参照して特定する記述形式特定ステップと、
前記配信コンテンツデータを前記記述形式特定ステップにて特定した記述形式に変換する記述形式変換ステップと、
を含み、該記述形式変換ステップにて変換された配信コンテンツデータを前記配信ステップにて配信することを特徴とする請求項１〜５のいずれかに記載のコンテンツ提供方法。
【発明の詳細な説明】
【技術分野】
【０００１】
本発明は、インタ−ネットに接続可能なインターネット端末へコンテンツデ−タを配信するコンテンツ提供方法に関する。
【背景技術】
【０００２】
近年、コンピュータのオープンネットワークであるインターネットの普及が目ざましく、その利用状況も個人のパソコン所有率が向上するとともに、企業のビジネス利用から個人利用へと移行しており、インターネットの利用人口も急増してきている。
【０００３】
一方、近年の携帯電話の普及に伴い、これら携帯電話からインターネットへの接続を可能とするインターネット接続サービスが提供されるようになり、これら携帯電話によるインターネットへの接続は、移動中であっても所望の情報や音楽や画像等の各種のコンテンツを入手することが可能となることから、その利用者が急増しており、今後においてもこれら携帯電話等の無線回線を通じてインタ−ネットにアクセスできるモバイル通信の利用人口は、その利便性や情報入手の迅速性から益々増加するものと予測されている。
【０００４】
このように、数年前までは一部の人のものであったインターネットが、前記のように、パソコンの家庭への普及とインターネット接続機能を持った携帯電話の広がりと共に、多くの人にとって欠かせない情報手段（道具）となってきている。
【０００５】
そのため企業戦略を考える上で広報や宣伝そしてEC(エレクトリックコマース)サイトとして、企業が情報等のコンテンツを提供或いは発信するためにＷｅｂサーバーを設置することが不可欠なこととなってきている。
【発明の開示】
【発明が解決しようとする課題】
【０００６】
しかしながら、前記のようにインターネット端末として通常のパソコン等を対象としたＷｅｂサーバーを設置することは比較的容易であるが、これら通常のパソコン並びに前記インターネット接続機能を持った携帯電話やＰＤＡ端末等をも対象とするＷｅｂサーバーを設置することは、これら携帯電話やＰＤＡ端末が携行性を必要とされるために、その表示能力や処理能力が通常のパソコンに比較して低いことから、前記通常のパソコン等を対象としたコンテンツをそのまま前記携帯電話やＰＤＡ端末に配信すると、表示が不完全となったり、ある種のコンテンツは表示されない場合がある等の問題があることから、これらインターネット接続機能を持った携帯電話やＰＤＡ端末に対応するには、前記通常のパソコン等を対象としたＷｅｂサーバー以外に、携帯電話やＰＤＡ端末に対応したコンテンツデータを有するＷｅｂサーバーを設ける必要があり、コンテンツ提供者やコンテンツアグリゲータの負担が大きなものとなってしまうという問題があった。
【０００７】
よって、本発明は上記した問題点に着目してなされたもので、前記インターネット接続機能を持った携帯電話やＰＤＡ端末等をも対象とするＷｅｂサーバーを少ない負担にて簡便に構築することのできるコンテンツ提供方法を提供することを目的としている。
【課題を解決するための手段】
【０００８】
上記課題を解決するために、本発明の請求項１に記載のコンテンツ提供方法は、インタ−ネット網に接続可能なインターネット端末に対し、該インタ−ネット網に接続されたサーバコンピュータを用いてコンテンツデ−タを提供するためのコンテンツ提供方法であって、
前記サーバコンピュータは、
前記インターネット端末より送信されてくる要求メッセージから、アクセスしてきたインターネット端末の種別並びに該インターネット端末に搭載されている閲覧ソフトの種別とを特定或いは推定可能な種別情報を抽出して種別特定を行う種別特定ステップと、
前記要求メッセージにて配信要求されたコンテンツの元となるベースコンテンツデータの中から前記アクセスしてきたインターネット端末に配信する項目を抽出するための抽出項目が、前記種別特定ステップにて特定された種別に対応付けて予め登録された抽出データに基づき、前記種別特定ステップにて特定した種別が該当する抽出項目を特定する抽出項目特定ステップと、
該抽出項目特定ステップにて特定した項目を前記ベースコンテンツデータから抽出して配信するコンテンツデータを作成する配信コンテンツデータ生成ステップと、
該配信コンテンツデータ生成ステップにて作成された配信コンテンツデータを前記インターネット端末に対して配信する配信ステップと、
を含むことを特徴としている。
この特徴によれば、前記ベースコンテンツデータに対応付けて抽出データを予め登録しておくことにより、該抽出データに基づいて、アクセスしてきたインターネット端末の種別並びに該インターネット端末に搭載されている閲覧ソフトの種別に該当する抽出項目が、前記ベースコンテンツデータより抽出されて配信するコンテンツデータが作成されてアクセスしてきたインターネット端末に配信されるようになるため、前記インターネット接続機能を持った携帯電話やＰＤＡ端末等をも対象とするＷｅｂサーバーを少ない負担にて簡便に構築することができる。
【０００９】
本発明の請求項２に記載のコンテンツ提供方法は、請求項１に記載のコンテンツ提供方法であって、
前記抽出データには、抽出する各項目毎に配列順序が記述されており、前記配信コンテンツデータ生成ステップにおいては、前記配列順序に基づいて各項目が配列されたコンテンツデータが生成されることを特徴としている。
この特徴によれば、前記配信コンテンツデータにおいて、配信される端末の能力に応じた抽出項目の配列のコンテンツを適宜に作成することができる。
【００１０】
本発明の請求項３に記載のコンテンツ提供方法は、請求項１または２に記載のコンテンツ提供方法であって、
前記抽出データは、前記ベースコンテンツデータ毎に設けられたルールファイルデータに記録されていることを特徴としている。
この特徴によれば、前記ルールファイルデータを各ベースコンテンツデータ毎に設けることで、前記抽出項目の設定を各ベースコンテンツデータ毎に変更できるようになり、該ベースコンテンツデータに含まれるコンテンツ内容に合わせて抽出項目の設定を適宜に変更、最適化することができる。
【００１１】
本発明の請求項４に記載のコンテンツ提供方法は、請求項１〜３のいずれかに記載のコンテンツ提供方法であって、
前記ベースコンテンツデータが、予め登録された補完すべきコンテンツ内容を含むか否かを判定する判定ステップと、
前記補完すべきコンテンツ内容を含む場合において補完コンテンツを作成する補完コンテンツ生成ステップと、
を含むことを特徴としている。
この特徴によれば、補完を必要とされるコンテンツ内容がベースコンテンツデータに存在する場合には、自動的に補完コンテンツが作成されて配信されるようになるため、これらコンテンツの配信をうけるインターネット端末側でのコンテンツの理解度や認識性を向上させることができる。
【００１２】
本発明の請求項５に記載のコンテンツ提供方法は、請求項４に記載のコンテンツ提供方法であって、
前記補完すべきコンテンツ内容がフレーム構成を有するコンテンツであることを特徴としている。
この特徴によれば、コンテンツ内容がフレーム構成を有する場合には、これらフレーム構成全体を前記インターネット接続機能を持った携帯電話やＰＤＡ端末が表示することが困難である場合が通常であることから、これらフレーム構成を有するコンテンツの全体像を端末利用者が正確に認識することができる。
【００１３】
本発明の請求項６に記載のコンテンツ提供方法は、請求項１〜５のいずれかに記載のコンテンツ提供方法であって、
前記サーバコンピュータは、前記種別特定ステップにて特定される各種別毎のアクセス方式に対応した記述形式が登録された端末情報データベースを有し、
前記種別特定ステップにて特定した種別に該当する記述形式を、前記端末情報データベースを参照して特定する記述形式特定ステップと、
前記配信コンテンツデータを前記記述形式特定ステップにて特定した記述形式に変換する記述形式変換ステップと、
を含み、該記述形式変換ステップにて変換された配信コンテンツデータを前記配信ステップにて配信することを特徴としている。
この特徴によれば、所定形式のファイル形式にて前記ベースコンテンツデ−タをに登録しておくだけで、前記配信コンテンツデータ生成ステップにて作成された配信コンテンツがアクセスしてきたインターネット端末のアクセス方式に対応した記述形式に変換されて配信されるようになることから、膨大なコンテンツの各要素をアクセス方式毎の各記述形式に予め変換しておく必要がなく、これらコンテンツデ−タを所定形式の１ファイル形式にて１元的に管理できるようになり、これらコンテンツの更新作業における時間や費用を大幅に削減でき、よって、これらコンテンツデ−タのメンテナンスや開発等を容易に実施できるようになる。
【発明を実施するための最良の形態】
【００１４】
以下、本発明の実施例を図面に基づいて説明する。
【実施例】
【００１５】
まず、本実施例のコンテンツ提供システムは、図１に示す構成とされており、コンテンツ提供サービスを行う配信センター５には、各コンテンツデータの配信を実施するコンピュータであるサーバコンピュータ６が設置されている。このサーバコンピュータ６は、インターネット網４を介して通常の電話サービスを提供しているキャリアＡ社に接続されているコンピュータ端末１ａや、携帯電話サービスを提供しているキャリアＢ社、キャリアＣ社、キャリアＤ社の中央制御局３ｂ、３ｃ、３ｄにそれぞれ接続されている。また、各携帯電話サービス会社であるキャリアＢ社、キャリアＣ社、キャリアＤ社のそれぞれに加入している無線端末であるそれぞれの携帯電話端末１ｂ、携帯電話端末１ｃ、携帯電話端末１ｄは、各キャリア会社の基地局２ｂ、２ｃ、２ｄ並びに中央制御局３ｂ、３ｃ、３ｄ、図示しないゲートウエイサーバを通じて前記インターネット網４に接続可能とされており、このインターネット網４を経由して前記配信センター５のサーバコンピュータ６にアクセスできるようになっている。
【００１６】
これら本実施例にて使用される携帯電話は、各キャリア会社における所定のアクセス方式に対応したインターネット接続機能を有する通常の携帯電話を使用することができる。尚、本実施例では、無線端末を携帯電話としているが、本発明はこれに限定されるものではなく、簡易型携帯電話（パーソナルハンディホン；ＰＨＳ）や該ＰＨＳ或いは前記携帯電話に接続可能なＰＤＡ端末であっても良いし、更にはＭＣＡ無線等の端末であっても良い。
【００１７】
また、本実際例では、前記サーバコンピュータ６をインターネット網４を介して各キャリア会社の中央制御局３ｂ、３ｃ、３ｄに接続しているが、本発明はこれに限定されるものではなく、これら中央制御局３ｂ、３ｃ、３ｄとサーバコンピュータ６とを専用回線等にて接続すること等は任意とされる。
【００１８】
また、情報の発信等を行うコンテンツ提供者にも、前記インターネット網４を介して前記配信センター５に設置されたサーバコンピュータ６とデータ通信可能に接続されたコンピュータ端末７が設置されており、これらコンピュータ端末７を用いて前記サーバコンピュータ６にアクセスして、該サーバコンピュータ６にてアクセス利用者に提供するコンテンツデータの更新を実施できるようになっている。
【００１９】
また、本実施例において前記サーバコンピュータ６には、図７に示すように、各キャリア並びにキャリアにおいて使用されている携帯電話端末の端末情報や閲覧ソフトであるブラウザの情報等が登録されている端末情報テーブルや、各端末やブラウザにて使用されている絵文字等の変換情報が登録されている絵文字テーブルが登録されているが、これら端末情報テーブル並びに絵文字テーブルは、新たな機種や新たなバージョンが逐次リリースされるため、これらに対応するために、逐次情報の追加、更新を行う必要があり、これら端末情報テーブル並びに絵文字テーブルの更新を行う更新用コンピュータ端末８を管理センターに設置し、該更新用コンピュータ端末８に前記サーバコンピュータ６がインターネット網４を介して定期的にアクセスすることで、登録されている端末情報テーブル並びに絵文字テーブルの更新を行うようになっている。
【００２０】
この本実施例において用いたサーバーコンピュータ６の構成は、図２に示すように、サーバーコンピュータ６内部にてデータの送受を行うデータバス２０に、該サーバーコンピュータ６の動作制御、特にはアクセスしてきたコンピュータ端末１ａや各社キャリアの携帯電話端末１ｂ、１ｃ、１ｄとのデータ授受（セッション）の状況を管理する制御を所定の処理プログラムに基づき実施するとともに、コンテンツデータを配信先の端末に合わせたコンテンツデータに編集・変換する処理をファイル変換プログラムである「クロスゲートウェイ（Ｘ-Gateway）；フレックスファーム社製商品名」に基づき実施する中央演算処理装置（ＣＰＵ）２１、処理データの一時記憶等を行うためのＲＡＭ２４、アクセス時間等の時間情報を出力可能とされたリアルタイムクロック（ＲＴＣ）２６と、前記インターネット網４とのデータ通信を可能とする通信インターフェイス２２と、ディスプレイ等の表示装置２３と、磁気ディスクや光磁気ディスクから成り、前記中央演算処理装置（ＣＰＵ）２１が実施する各種制御内容が記述された制御プログラムや前記ファイル変換プログラムである前記「クロスゲートウェイ（Ｘ-Gateway）」、並びにコンテンツ提供者からの提供情報が所定のマークアップ言語であるＨＴＭＬにて記述され、リッチコンテンツとされたベースコンテンツデータが登録されたコンテンツデータベース（ＤＢ）と、各キャリア並びにキャリアにおいて使用されている携帯電話端末の端末情報や閲覧ソフトであるブラウザの情報等が登録されている端末情報テーブルや、各端末やブラウザにて使用されている絵文字等の変換情報が登録されている絵文字テーブル等が記録された記憶装置２５と、が接続された比較的高速の処理が実施可能な通常のコンピュータとされている。
【００２１】
尚、本実施例では、ベースコンテンツデータの記述言語として、端末としての処理能力が高い前記コンピュータ端末１ａ等にて主に使用されているＨＴＭＬを用いているが、本発明はこれに限定されるものではない。
【００２２】
次いで、本実施例のサーバコンピュータ６が、各社キャリアのコンピュータ端末１ａ並びに携帯電話端末１ｂ、１ｃ、１ｄにコンテンツデータの配信を行う状況の処理概要を、図３に基づき説明すると、例えばキャリアＢ社の携帯電話端末１ｂよりサーバコンピュータ６へアクセスする場合に、まずサーバコンピュータ６は、該携帯電話端末１ｂからの要求メッセージのヘッダに含まれているユーザーエージェント情報より、該携帯電話端末１ｂのキャリアの種別とその端末の機種並びに搭載ブラウザの種別を特定可能な情報を抽出し、この情報に該当するキャリアのアクセス方式（マークアップ言語）の種別や端末の表示性能、デバイスのタイプ等の端末情報を、前記端末情報テーブルより入手するとともに、前記要求メッセージにより要求されたベースコンテンツデータを前記コンテンツデータベースより読み出す。
【００２３】
このコンテンツデータベースより読み出されたベースコンテンツデータは、アクセスしてきた携帯電話端末１ｂのキャリア会社Ｂのアクセス方式であるＨＤＭＬ形式のファイルに変換されるとともに、該ファイル変換において、前記にて入手した携帯電話端末１ｂの端末情報に基づき、該携帯電話端末１ｂの表示性能に合わせて適宜に修正されて携帯電話端末１ｂへ配信されるようになっており、図３に示すように、アクセスしてきた端末が前記キャリアＡ社のコンピュータ端末１ａであれば前記ベースコンテンツデータが変換なしにそのままに、アクセスしてきた端末が前記キャリアＣ社或いはキャリアＤ社である場合には、それぞれＭＭＬ並びにＣ−ＨＴＭＬのファイル形式にそれぞれ変換されてコンテンツデータが送信、配信される。これにより同一のアドレス（ＵＲＬ）にて、キャリアの異なる携帯電話やコンピュータ端末の全てにコンテンツを配信することができるようになり、これらコンテンツデータを１つのファイル形式にて１元的に管理できるようにされており、更新作業にかかる時間や費用を大幅に削減でき、メンテナンスや開発等を容易に実施できるようになっている。
【００２４】
以下に、本実施例のサーバコンピュータ６におけるコンテンツデータの提供処理の内容を図４を主体に各詳細図面を併用して詳述する。
【００２５】
まず、利用者が使用する前記コンピュータ端末１ａや携帯電話携帯電話端末１ｂ、１ｃ、１ｄ（以下これらを総称して端末と呼称する）からの要求メッセージは、サーバコンピュータ６において起動しているサーブレットエンジンにて受信され、該要求メッセージに含まれているキャリアや端末の型式並びに搭載されているブラウザの種別を特定可能な端末タイプＩＤやセッションＩＤ、パラメータがクロスサブレットコアプログラムに送られる。
【００２６】
この端末タイプＩＤの取得する方法としては、図５に示すように、要求メッセージの先頭に位置して送信されてくるＨＴＴＰヘッダ中に、ユーザーエージェント情報が含まれており、該ユーザーエージェント情報には、図５にあるように、各キャリアに固有の情報が記述されているとともに、該要求メッセージを送信した端末の機種やブラウザのバージョン情報等も記述されていることから、これら記述内容がどのキャリア並びにどの型式の端末に合致するのかを、図７に示す端末情報テーブルと照合することにより特定することができる。
【００２７】
この抽出されたユーザーエージェント情報中の記述データに基づき端末タイプの特定を行う端末タイプ識別処理の具体的な処理内容は、図６に示すようになっており、前記ユーザーエージェント情報の記述データの取得に基づき、該記述データ中に含まれるキャリア名並びに端末の型式（機種）を示唆する単語を検出する。
【００２８】
次いで、該検出したキャリア名や端末機種名を検索キーワードとして端末情報テーブルを検索する。この際、該当する登録がない場合には、機種特定情報を「デフォルト」として、再度、端末情報テーブルを検索する。これでも該当しない場合には、キャリア示唆情報を「デフォルト」とする。このようにして決定したキャリア示唆情報及び機種特定情報に該当する登録情報、例えばデバイスタイプやマークアップ言語の形式、コンテンツデータの最大バイト数、表示画面の行数や文字数等を端末情報テーブルから取得し、以降のコンテンツ編集処理やコンテンツ変換処理等に適用する。
【００２９】
尚、前記キャリア名並びに端末の型式（機種）を示唆する単語が未抽出或いは前記端末情報テーブルの検索において該当するものが存在しない場合においては、前記端末情報テーブルに登録されているキャリア各社並びに端末機種の各情報を、アクセス利用者が選択入力できるように構成されたデータ入力画面を要求メッセージを送信した端末に返信し、アクセス利用者によりキャリア会社並びに端末機種が選択された場合においては、該選択されたキャリア会社並びに端末機種に関する情報を端末情報テーブルを検索して取得する。
【００３０】
このように、要求メッセージよりキャリア会社並びに端末機種を特定できない場合において、利用者の端末にデータ入力画面を返信してキャリア会社並びに端末機種関する情報を受け付けるようにすることは、これらキャリア会社並びに端末機種が不特定であるために、以降のコンテンツ変換処理等において不適切な変換処理が為されてしまう不都合を回避できることから好ましいが、本発明はこれに限定されるものではない。
【００３１】
これら端末タイプ識別処理等において使用される端末情報テーブルの構成は、図７に示すようになっており、対応するキャリア種別（キャリア会社の名前）、機種に対応する「端末」のデバイスタイプ（ブラウザフォン（携帯電話タイプの端末）＝ＢＰ、携帯情報端末（ＰＤＡ端末等）＝ＰＤＡ、パーソナルコンピュータ（デスクトップパソコンやノートパソコン等）＝ＰＣ）、搭載されている「ブラウザ」の「名前」、受信可能なコンテンツデータに関する情報（「マークアップ言語」の「名前」、文字コード、最大バイト数）、端末画面の大きさに関する情報（「画面」の「横文字数」及び「縦行数」）、表示可能な画像に関する情報（「画像」の「フォーマット」、「横ピクセル数」、「縦ピクセル数」、「縦横比」、「アニメーション可否」、「カラーモード」、「色／階調数」）等の各情報が登録されており、この端末情報テーブルは、後述する更新処理により定期的に最新のものに更新されている。
【００３２】
次いで、クロスサブレットコアプログラムにおいては、図４に示すように、セッション情報の取得処理が実施され、これらセッション情報の具体的な処理内容は図８に示すようになっている。つまり、要求メッセージにセッションＩＤが含まれていない場合、新規のセッションであると認識して、セッションＩＤを作成する。そして、セッションが基準の寿命以下の場合にはＧ０集合に、さもなければ、Ｇ以外（0ther）集合に格納して管理する。
【００３３】
ここで、Ｇ０集合は、ある時刻から基準寿命時間の間にアクセスのあった全てのセッション（ただし、寿命が基準寿命以下であるもの）を管理する集合である。また、現在の時刻が「ある時刻から基準寿命時間を加えた時刻」を経過した場合には、Ｇ０集合はＧ１集合と名前を変えて管理する。そして、新たに、Ｇ０集合を「現在の時刻から基準寿命時間を加えた時刻まで」と再定義する。なお、Ｇ０集合をＧ１集合に変える場合に、既にＧ１集合が存在した場合には、その内容は全て破棄する。これにより、無効セッションの効率的な削除が可能となる。
【００３４】
ここで、要求メッセージにセッションＩＤが含まれている場合、セッションＩＤの有効期限をチェックし、有効でない場合には、当該セッションを破棄して、上述のとおり、新規のセッションＩＤを取得する。有効である場合には、当該セッションのラストアクセスタイムを更新して、Ｇ０集合もしくはＧ以外（0ther）集合に格納する。
【００３５】
このようにして確定してセッションＩＤをキーとして、セッションを識別する。この後、コンテンツの取得、編集、変換等の処理をおこない、処理結果をユーザに応答する前に、HTTP Cookie が使用可能であれば、セッションＩＤをCookieに設定してコンテンツ処理結果とともにユーザに応答する。Cookieが使用不可の場合には、コンテンツに含まれる全てのリンク先URLに対して、セッションＩＤ情報を付加してユーザに応答する。尚、前記HTTP Cookie が使用可能であっても、該HTTP Cookieをあえて使用しないようにしても良い。
【００３６】
次いで、前記要求メッセージ中に含まれている絵文字並びに文字コードを、前記端末タイプ識別処理にて取得したキャリア会社並びに端末機種の情報に該当して絵文字テーブルに登録されている変換内容に基づき、該当する絵文字や文字コードを所定のものに変換する。
【００３７】
これら所定の文字コードに変換された要求メッセージに基づき、要求されているベースコンテンツデータを特定し、図９に示すように、要求メッセージで要求されているベースコンテンツデータから生成された配信コンテンツデータが既にキャッシュに存在する場合には、キャッシュから指定の配信コンテンツデータのページを取得して要求のあった端末に応答する。キャッシュに存在しない場合には、サーバサイドのアプリケーションプログラムを実行してベースコンテンツデータを取得し、端末情報に基づいてコンテンツの編集処理、スクリプト処理、変換処理等を行い、これらの処理により得られた配信用のコンテンツデータをキャッシュして各ページ毎に応答する。
【００３８】
本実施例におけるコンテンツの編集処理は、図１０に示すようになっており、まず、端末情報に基づくデバイスタイプがＰＣである場合には、コンテンツデータベース（ＤＢ）より取得したベースコンテンツデータを、このベースコンテンツデータに対応して前記コンテンツデータベース（ＤＢ）に登録されているルールファイル（コンテンツ要素の抽出対象や順序等が定義されているファイル）に基づいて編集することでドキュメントオブジェクトモデル（ＤＯＭ）を作成する。また、端末情報に基づくデバイスタイプがＢＰ（ブラウザフォン）またはＰＤＡ（携帯情報端末）である場合には、取得したベースコンテンツデータが複数のフレームにて構成されているかを判別し、単一フレーム構成のベースコンテンツデータであれば、前述と同様に対応するルールファイルに基づく編集を行い、ドキュメントオブジェクトモデル（ＤＯＭ）を作成する。また端末情報に基づくデバイスタイプがＢＰまたはＰＤＡである場合で、かつ取得したベースコンテンツデータが複数のフレームにて構成されている場合には、図１１に示すように、ベースコンテンツデータを各フレーム毎に分割するとともに、そのフレーム構成を示すフレームマップと、各フレームページへのリンクが付加された補完コンテンツであるガイドページ（補完ページ）を生成し、対応するルールファイルに基づき、これら分割された各フレームページ毎のコンテンツデータを編集して各々のドキュメントオブジェクトモデル（ＤＯＭ）作成する。
【００３９】
このように本実施例では、携帯電話端末（ＢＰ）や携帯情報端末（ＰＤＡ）等の比較的表示領域が少ない端末からの要求によるベースコンテンツデータがフレーム構成とされている場合に、これらベースコンテンツデータを各フレーム毎に分割するとともに、これら各フレームへリンク可能なガイドページ（補完ページ）が生成されるとともに、このガイドページが最初に応答（配信）され、ユーザ（アクセス利用者）がページ構成を容易に把握できるようになっており、このようにすることは、これらフレーム構成を有するコンテンツの全体像を端末利用者が正確に認識することができることから好ましいが、本発明はこれに限定されるものではない。また、本実施例では、フレーム構成のベースコンテンツデータについて補完コンテンツであるガイドページを生成するようになっているが、本発明はこれに限定されるものではなく、例えば、多数の項目を内在する長編コンテンツにあっては、内在する項目のみを表示したタイトルガイドページを生成するようにしたり、或いはコンテンツ中にテーブル（表）等が引用されている場合には、テーブルの表示位置にテーブルへのリンク表示が記述された簡易ページを生成するようにして、内在するコンテンツを小さな表示画面にても閲覧しやすいようにした補完コンテンツを生成するようにしても良い。
【００４０】
また、前述した本実施例のルールファイルには、コンテンツ要素の抽出定義が記述されており、これらルールファイルが、前記ベースコンテンツの各々に対応して作成されてコンテンツデータベース（ＤＢ）に登録されている。このルールファイルは対応するベースコンテンツが変換される際に読み出され、ベースコンテンツデータを構成するコンテンツ要素の抽出定義として適用される。
【００４１】
このルールファイルの抽出定義は、ルールを適用するデバイスを指定するための「対象デバイス（「ＡＬＬ」の場合には全てのデバイスに適用、「ＰＣ」の場合にはＰＣ（パーソナルコンピュータ）並の表示能力を有するデバイス（デバイスタイプがＰＣの端末）に適用、「ＰＤＡ」の場合にはＰＤＡ以上の表示能力を有するデバイス（デバイスタイプがＰＣまたはＰＤＡの端末）に適用、「＝ＰＤＡ」の場合にはＰＤＡ程度の表示能力を有するデバイス（デバイスタイプがＰＤＡの端末）に適用、「ＢＰ」の場合にはＢＰ以上の表示能力を有するデバイス（デバイスタイプがＰＣまたはＰＤＡまたはＢＰの端末）に適用、「＝ＢＰ」の場合にはＢＰ程度の表示能力を有するデバイス（デバイスタイプがＢＰの端末）に適用）」と、同一階層にあるコンテンツ要素の並び順を定義する「グループ指定順序（並び換える際の順序番号がこのグループ指定順序にて昇順に設定される）」と、抽出されるコンテンツ要素の条件等を指定する「抽出対象指定（タグ名［出現回数；何回目に出現するタグであるかを指定する］／条件；例えば「＊」では指定タグ以下全てを抽出、「＊ＴＥＸＴ」では指定タグ直下のテキストを抽出する）」と、から構成されており、これら「対象デバイス名」「グループ指定順序」「抽出対象指定」が「：」で区切られて記載されている。
【００４２】
このように本実施例では、ベースコンテンツデータにおけるコンテンツ要素の抽出定義が、各ベースコンテンツデータ毎に設けられているため、各々のベースコンテンツデータの内容に応じて抽出定義を適宜に変更、最適化できることから好ましいが、本発明はこれに限定されるものではなく、例えば、全てのコンテンツデータに適用される抽出定義を設けて、この抽出定義に基づいて全てのコンテンツデータの変換を実施するようにしても良い。
【００４３】
これらルールファイルに基づくコンテンツ要素（コンテンツ項目）の抽出要領は、図１２に示すようになっており、まず、要求されたベースコンテンツデータをコンテンツデータベース（ＤＢ）より取得し、この取得したベースコンテンツデータに対応するルールファイルをコンテンツデータベース（ＤＢ）にて検索する。該当するルールファイルが存在しない場合には、前記取得したベースコンテンツデータを出力する。また、該当するルールファイルが存在する場合には、このルールファイルを読み出すとともに、前記取得したベースコンテンツデータを構成する先頭のコンテンツ要素を取得し、この取得したコンテンツ要素の位置（タグもしくは親タグの出現回数；何番目に出現するか）及び種別（「タグ」か「テキスト」か）に該当する抽出定義が、読み出したルールファイルに存在するかを検索する。該当する抽出定義が存在する場合には前記端末情報に基づくデバイスタイプが抽出定義の対象デバイスに含まれるかを判別し、含まれている場合には、当該コンテンツ要素を、抽出定義のグループ順序指定に基づき定められる順序番号とともに抽出して、次のコンテンツ要素に移行する。また、取得したコンテンツ要素の位置及び種別に該当する抽出定義がルールファイルに存在しない場合や、デバイスタイプが対象デバイスに含まれない場合には、当該コンテンツ要素を抽出せずに次のコンテンツ要素に移行する。これらの処理を繰り返し実施して最後のコンテンツ要素における抽出が終了した後、これらコンテンツ要素とともに抽出した順序番号に基づき、同一階層内のコンテンツ要素を順序番号で設定されている順序に並び換える。
【００４４】
これらの処理を具体的に説明すると、例えば、配信される端末のデバイスタイプがＰＤＡである場合には、図１３に示すように、取得したベースコンテンツのコンテンツ要素毎に、対応するルールファイルにおいて対象デバイスに「ＡＬＬ」または「ＰＤＡ」、「＝ＰＤＡ」、「ＢＰ」が指定されている抽出定義から該当するものを検索し、該当する抽出定義が存在する場合には、当該コンテンツ要素を抽出して、図１４に示すように、新たなコンテンツデータを生成し、これら各コンテンツ要素の抽出時に定められた順序番号に基づいて同一階層内のコンテンツ要素の並べ換えを実施することで、ＰＤＡ向けのコンテンツデータ（ＤＯＭ）が作成される。また、配信される端末のデバイスタイプがＢＰである場合には、図１５に示すように、取得したベースコンテンツのコンテンツ要素毎に、対応するルールファイルにおいて対象デバイスに「ＡＬＬ」または「ＰＤＡ」、「ＢＰ」、「＝ＢＰ」が指定されている抽出定義から該当するものを検索し、該当する抽出定義が存在する場合には、当該コンテンツ要素を抽出して、図１６に示すように、新たなコンテンツデータを生成し、これら各コンテンツ要素の抽出時に定められた順序番号に基づいて同一階層内のコンテンツ要素の並べ換えを実施することで、ＢＰ向けのコンテンツデータ（ＤＯＭ）が作成される。
【００４５】
このように本実施例では、取得したベースコンテンツデータを、該コンテンツデータに対応するルールファイルに記述された抽出定義に基づいて、前記端末情報に基づくデバイスタイプに適合するようにコンテンツ要素が抽出され、配信される端末に好適なコンテンツデータ（ＤＯＭ）が作成されるようになっている。
【００４６】
また、これら抽出されたコンテンツ要素は、対応するルールファイルの抽出定義に基づき定められる順序番号に基づいて、同一階層内のコンテンツ要素が並び換えられるようになっており、該当する端末に応じたコンテンツ要素の配列を適宜に設定して配信することができることから好ましいが、本発明はこれに限定されるものではない。
【００４７】
これらベースコンテンツデータの編集処理の後に、コンテンツのスクリプト処理を実施するようになっている。このスクリプト実行処理は、図１７に示すようになっており、前述の編集処理により作成されたコンテンツデータ（ＤＯＭ）にスクリプト（端末上で処理されるプログラムの一種）が含まれている場合には、該スクリプトをサーバ上で実行し、変数等の値を設定して、表示すべき画面の内容を確定する。尚、スクリプトは、ユーザの操作に応じて、変数等の値を変化させ、表示画面を端末上の処理のみで変化させるというために用いるが、本実施例の場合には、ユーザの操作結果は、サーバ側に要求メッセージとして伝達され、サーバ側でこの処理を実施するようになっている。
【００４８】
このようにすることは、コンテンツデータに含まれる形式のスクリプトを処理する能力のない端末に対するコンテンツデータの提供を可能とするばかりか、これらスクリプトの処理に伴う端末における処理負荷を大幅に低減できることから好ましいが、本発明はこれに限定されるものではない。
【００４９】
これらスクリプト処理の後に、コンテンツデータの変換処理を実施する。このコンテンツデータの変換処理の内容は、図１８に示すようになっており、編集処理やスクリプト処理がなされたコンテンツデータ（ＤＯＭ）を、端末情報に基づいて対応するマークアップ言語に変換する。このとき、変換後のサイズが端末で受信可能なコンテンツサイズ（端末情報テーブルにて特定済み）を超えている場合には、前記コンテンツデータ（ＤＯＭ）を末尾から見ていって、区切れる部分（選択リスト、チェックボックス、テーブル等の構造要素の区切り）で区切って分割し、その最初の分割パートに対して、再度、コンテンツデータの変換を行う。これをコンテンツデータのサイズが端末で受信可能なサイズになるまで繰り返し実施し、各ページに「前ページ」或いは「次ページ」の一方または両方のリンクを付与し、この分割された各ページがユーザに応答するページとなる。そして、始めのコンテンツデータ（ＤＯＭ）の未処理部分について、同様に変換、サイズのチェックを繰り返し、全てのコンテンツデータ（ＤＯＭ）を変換し、すべてのページを作成し、キャッシュに登録する。この後、端末には指定のページ（ページ指定がない場合には最初のページ、また、ガイドページが含まれている場合にはガイドページ）を応答する。
【００５０】
これらコンテンツデータの変換処理におけるページ分割による表示状況を図１９に基づき説明すると、コンテンツデータ（ＤＯＭ）のサイズが端末で受信可能（表示可能）なサイズ（文字数）を越えている場合には、コンテンツデータ（ＤＯＭ）をページ分割しないと、図１９に示すようにコンテンツデータ（ＤＯＭ）の一部が表示されないか或いはコンテンツ全体が表示されなくなくなってしまう。
【００５１】
これに対し、前述のようにページ分割を実施した場合には、図１９に示すように、分割された各ページを順次移動することで全てのコンテンツデータ（ＤＯＭ）の内容を漏れなく表示させることが可能となり、これら分割されたページを移動する際には、本実施例のように「前ページ」或いは「次ページ」の一方または両方のリンクを付与することで、ページ間に移動を容易に実施できるようになることから好ましいが、本発明はこれに限定されるものではない。
【００５２】
これら変換されたコンテンツデータ中に引用画像が存在する場合には、該引用画像の画像データ変換の処理を実施する。具体的には、図２０に示すように、要求メッセージの中で画像が要求されている場合、指定の画像名（例えば、a.gifとする）と端末情報に基づきキャッシュを検索する。該当するデータがキャッシュに存在した場合、指定画像 a.gif のダイジェスト値を計算し、保存してあるダイジェスト値と比較する。
【００５３】
両者が一致した場合には、指定画像は変更されていないとして、キャッシュに保存されてある変換ずみ画像データを出力する。この場合以外は、端末の仕様と比較して、指定の画像 a.gif のサイズが大きい場合には圧縮処理を、色数が多い場合には減色処理を、フォーマットが異なる場合にはフォーマット変換を行い、処理結果を出力する。このとき、a.gif に対するダイジェスト値がキャッシュに既に存在し、かつ、それが今回算定した値と異なる場合は、a.gifに関するキャッシュ内容を全て破棄する。そして、a.gif のダイジェスト値、並びに、画像名 a.gif と端末名 N502i をキーとして変換後の画像をキャッシュに格納する。
【００５４】
このように、画像データの変換に際して変換済みの画像データに該当するものが既にキャッシュに存在するか否かを判別し、存在する場合には変換処理を行わないようにすることは、これら画像変換処理に伴う処理負荷を低減できることから好ましいが、本発明はこれに限定されるものではなく、一義的に画像変換を実施してキャッシュのデータを更新するようにしても良い。
【００５５】
また、これら画像データの変換とともに、変換されたコンテンツデータ中における絵文字並びに文字コードの変換処理を実施する。これら処理内容は、図２１に示すようになっており、コンテンツデータに含まれる全ての絵文字コードを「絵文字テーブル」を検索することによって出力端末の絵文字コードに変換するとともに、変換されたコンテンツデータ中の文字コードを出力端末の文字コードに変換する。
【００５６】
尚、前記「絵文字テーブル」や「情報端末テーブル」の更新は、図２２に示す更新処理を定期的に実施し、前記管理センターのコンピュータ端末８にアクセスして更新することで、逐次最新のデータに更新されるようになっている。具体的には、定期的に前記管理センターのコンピュータ端末８にアクセスして問合せを発行し、該コンピュータ端末８に登録されている「端末情報データベース」の更新時刻を取得する。この時刻がサーバコンピュータ６にて管理する時刻よりも新しくなっている場合には、コンピュータ端末８へ要求メッセージを発行し、該コンピュータ端末８より「端末情報テーブル」をダウンロードして、サーバコンピュータ６で登録している内容を更新する。
【００５７】
以上、本実施例のようにすれば、前記ベースコンテンツデータに対応付けてルールファイルを予め登録しておくことにより、該ルールファイルに基づいて、アクセスしてきた端末の種別並びに端末に搭載されている閲覧ソフトの種別に該当するコンテンツ要素が、ベースコンテンツデータより抽出されて配信するコンテンツデータが作成され、アクセスしてきた端末に配信されるようになるため、インターネット接続機能を持った携帯電話（ＢＰ）やＰＤＡ端末等をも対象とするＷｅｂサーバーを少ない負担にて簡便に構築することができる。
【００５８】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【００５９】
例えば、前記実施例では、本発明におけるコンテンツ提供方法を内部のコンテンツデータベースに基づくコンテンツデータの提供をインターネット網４を介して行うサーバコンピュータ６に適用した例を示したが、本発明はこれに限定されるものではなく、これらの提供方法を例えば、キャリア各社のゲートウェイサーバやポータルサイトのウェッブサーバ等に適用し、他のコンテンツプロバイダから入手したコンテンツデータをこれらのサーバにて編集・変換して利用者の端末に配信するようにしても良い。
【００６０】
また、前記実施例では、キャリア会社を４社とした例を示したが、本発明はこれに限定されるものではなく、４社以上のキャリア会社であっても良いし、更には、携帯電話会社とＰＨＳサービス会社の双方が接続可能とするようにしても良い。
【００６１】
更に、前記実施例では、コンテンツデータベースに登録されているコンテンツデータから変換される変換ファイルの形式としてＨＤＭＬ形式、Ｃ−ＨＴＭＬ形式、ＭＭＬ形式を例示したが、本発明はこれに限定されるものではなく、これらファイル形式を次世代のファイル形式であるＸＨＴＭＬ方式としても良い。
【００６２】
また、本実施例では、コンテンツデータベースに登録されているコンテンツデータから直接各ファイル形式への変換を実施しているが、本発明はこれに限定されるものではなく、これら各ファイル形式への変換において、中間ファイルとして一度ＸＭＬ形式のファイルへの変換を実施した後、所望の各形式のファイルへの変換を実施するようにしても良い。
【図面の簡単な説明】
【００６３】
【図１】本発明の実施例におけるコンテンツ提供システムの構成を示すブロック図である。
【図２】本発明の実施例におけるコンテンツ提供システムを構成するサーバコンピュータの構成を示すブロック図である。
【図３】本発明の実施例において用いたファイル変換プログラムである「クロスゲートウェイ（Ｘ-Gateway）」における処理内容を示す説明図である。
【図４】本発明の実施例において用いたファイル変換プログラムである「クロスゲートウェイ（Ｘ-Gateway）」における処理内容を示す全体フロー図である。
【図５】本発明の実施例における端末タイプ識別処理においてアクセス利用者のインターネット端末から送られてくる要求メッセージより端末情報を取得する手法を示す図である。
【図６】本発明の実施例における端末タイプ識別処理における処理内容を示すフロー図である。
【図７】本発明の実施例において用いた端末情報データベースの構成を示す図である。
【図８】本発明の実施例におけるセッション管理の処理内容を示すフロー図である。
【図９】本発明の実施例におけるコンテンツデータの配信処理の内容を示すフロー図である。
【図１０】本発明の実施例におけるコンテンツデータの編集処理の内容を示すフロー図である。
【図１１】本発明の実施例におけるコンテンツデータ（フレーム構成のコンテンツ）におけるガイドページ（補完ページ）の生成状況を示すである。
【図１２】本発明の実施例におけるコンテンツデータからのコンテンツ要素の抽出並びに並び換えの処理内容を示すフロー図である。
【図１３】本発明の実施例におけるコンテンツデータからのコンテンツ要素の抽出状況を示す図である。
【図１４】本発明の実施例におけるコンテンツデータからのコンテンツ要素の並び換え状況を示す図である。
【図１５】本発明の実施例におけるコンテンツデータからのコンテンツ要素の抽出状況を示す図である。
【図１６】本発明の実施例におけるコンテンツデータからのコンテンツ要素の並び換え状況を示す図である。
【図１７】本発明の実施例におけるスクリプト処理の処理内容を示すフロー図である。
【図１８】本発明の実施例におけるコンテンツデータの変換処理の内容を示すフロー図である。
【図１９】本発明の実施例におけるコンテンツデータの変換処理においてページ分割された画面例を示す図である。
【図２０】本発明の実施例における引用画像の画像データの変換処理の内容を示すフロー図である。
【図２１】本発明の実施例における絵文字、コード変換処理における処理内容を示すフロー図である。
【図２２】本発明の実施例における端末情報テーブル並びに絵文字テーブルの更新処理の内容を示すフロー図である。
【符号の説明】
【００６４】
１ａ                  コンピュータ端末
１ｂ、１ｃ、１ｄ      携帯電話端末
２ｂ、２ｃ、２ｄ      基地局        
３ｂ、３ｃ、３ｄ      中央制御局  
４                    インターネット網
５                    配信センター
６                    サーバコンピュータ
７                    コンピュータ端末（コンテンツ提供者）
８                    コンピュータ端末（管理センター）
２０                  データバス
２１                  中央演算処理装置（ＣＰＵ）
２２                  通信インターフェイス
２３                  表示装置
２４                  ＲＡＭ
２５                  記憶装置
２６                  リアルタイムクロック（ＲＴＣ）
【図１】
2005346734.tif 000003
【図２】
2005346734.tif 000004
【図３】
2005346734.tif 000005
【図４】
2005346734.tif 000006
【図５】
2005346734.tif 000007
【図６】
2005346734.tif 000008
【図７】
2005346734.tif 000009
【図８】
2005346734.tif 000010
【図９】
2005346734.tif 000011
【図１０】
2005346734.tif 000012
【図１１】
2005346734.tif 000013
【図１２】
2005346734.tif 000014
【図１３】
2005346734.tif 000015
【図１４】
2005346734.tif 000016
【図１５】
2005346734.tif 000017
【図１６】
2005346734.tif 000018
【図１７】
2005346734.tif 000019
【図１８】
2005346734.tif 000020
【図１９】
2005346734.tif 000021
【図２０】
2005346734.tif 000022
【図２１】
2005346734.tif 000023
【図２２】
2005346734.tif 000024